(57)【特許請求の範囲】
【請求項１】
正面部にディスプレイを備え、背面部またはその他の部分にバッテリーが装着されるモニタ装置であって、
底面に、当該モニタ装置に画像情報を送信するベース装置の正面部の底部に設けられた保持用レールが挿入される溝部が形成され、その溝部に、前記保持用レールに設けられた充電端子と接続される充電端子が設けられたモニタ装置。
【請求項２】
請求項１のモニタ装置において、
前記溝部は、前記ディスプレイの画面の左右方向に相当する方向の両端の面が傾斜面とされたモニタ装置。
【請求項３】
請求項１または２のモニタ装置において、
前記背面部に、当該モニタ装置を自立させるためのスタンドが設けられたモニタ装置。
【請求項４】
請求項１〜３のいずれかのモニタ装置において、
それぞれ半球面状の放射パターンを形成する複数のアンテナを備え、その複数のアンテナは、それぞれの放射パターンの背面側が相対向するように配設されて、それぞれの受信レベル情報に基づいて、いずれかが選択されることによって、全体として全球面状の放射パターンを有するアンテナを形成するモニタ装置。
【請求項５】
正面部にディスプレイを備え、背面部またはその他の部分にバッテリーが装着されるモニタ装置に画像情報を送信するベース装置であって、
正面部の底部に、前記モニタ装置の底面に形成された溝部に挿入される保持用レールが設けられ、その保持用レールに、前記溝部に設けられた充電端子と接続される充電端子が設けられたベース装置。
【請求項６】
請求項５のベース装置において、
前記保持用レールは、前記モニタ装置のディスプレイの画面の左右方向に相当する方向の両端の面が傾斜面とされたベース装置。
【請求項７】
請求項５または６のベース装置において、
前記正面部が後方側に傾いたベース装置。
【請求項８】
請求項５〜７のいずれかのベース装置において、
それぞれ半球面状の放射パターンを形成する複数のアンテナを備え、その複数のアンテナは、それぞれの放射パターンの背面側が相対向するように配設されて、それぞれの受信レベル情報に基づいて、いずれかが選択されることによって、全体として全球面状の放射パターンを有するアンテナを形成するベース装置。
【請求項９】
請求項１〜４のいずれかに記載のモニタ装置と、請求項５〜８のいずれかに記載のベース装置とからなるシステム。
【発明の詳細な説明】
【０００１】
【発明の属する技術分野】
この発明は、ＬＣＤ（液晶ディスプレイ）などのディスプレイを備え、バッテリーで駆動されるモニタ装置、および、このモニタ装置に画像情報を送信するベース装置に関する。
【０００２】
【従来の技術】
住宅内などの限られたエリア内で構築される無線ＬＡＮ（Ｌｏｃａｌ  Ａｒｅａ  Ｎｅｔｗｏｒｋ）システムの一種として、出願人は、テレビ放送の受信用のチューナが内蔵または接続され、モデムを介して電話回線が接続されるなど、情報ソースとして機能するベース装置と、このベース装置との間の無線通信によって、ベース装置に対してコマンドを送信し、ベース装置からテレビの画像および音声やインターネットの画像などの情報を受信して、ディスプレイ上に画像を表示し、スピーカやヘッドホンから音声を出力するモニタ装置とからなるシステムを提案した。
【０００３】
図８は、このシステムの一例を示し、モニタ装置１００には、ＬＣＤ１０１、スピーカ１０３，１０４、およびベース装置２００との間の無線通信用のいわゆるパッチアンテナ１０５，１０６が設けられる。
【０００４】
ベース装置２００には、テレビ放送の受信用のチューナ２０１、モデム２０２、およびモニタ装置１００との間の無線通信用のいわゆるパッチアンテナ２０５，２０６が設けられ、チューナ２０１がテレビ放送の受信用のアンテナ１に接続され、モデム２０２が電話回線２に接続されて、モニタ装置１００が、ベース装置２００との間の無線通信によって、テレビ放送を受信し、インターネットにアクセスし、電子メールを送受信することができるように構成される。
【０００５】
また、ベース装置２００には、外部機器３として、ビデオデッキ、ＤＶＤプレーヤー、デジタルＣＳ放送やＢＳデジタル放送の受信用のチューナなどの機器を接続でき、モニタ装置１００が、ベース装置２００との間の無線通信によって、外部機器３から得られる画像および音声の情報を受信できるように構成されるとともに、ベース装置２００には、ＡＶマウスなどのリモコン送信器５を接続でき、リモコン送信器５から送出されたリモコン信号光が、外部機器３に設けられたリモコン受光部４で受光されることによって、モニタ装置１００によって外部機器３を制御できるように構成される。「リモコン」は、「リモートコントロール」の略である。
【０００６】
上記のシステムによれば、ユーザは、ベース装置２００を居間などの場所に固定的に配置し、モニタ装置１００を住居内や庭などの任意の場所に持ち運んで、任意の場所で手元のモニタ装置１００によって、テレビ放送を受信し、インターネットにアクセスし、電子メールを送受信するなどの機能を実行することができる。
【０００７】
【発明が解決しようとする課題】
上述したシステムでは、モニタ装置１００はバッテリーで駆動される。しかし、この場合、バッテリーの充電を、どのように行うかが問題となる。特別の充電装置によってバッテリーを充電することもできるが、そうすると、システム全体を構成する装置の数が増加し、システム全体が高コスト化する。しかも、充電時には、画像を見ることができないなど、モニタ装置１００を使用することができないとすると、不便である。
【０００８】
そこで、この発明は、上記のようなモニタ装置とベース装置からなるシステムにおいて、モニタ装置とベース装置のほかに充電用の特別の装置を必要とすることなく、モニタ装置の駆動用のバッテリーを充電することができるとともに、充電時においても、非充電時と全く同様に、モニタ装置を使用することができるようにしたものである。
【０００９】
【課題を解決するための手段】
この発明のモニタ装置は、
正面部にディスプレイを備え、背面部またはその他の部分にバッテリーが装着されるモニタ装置であって、
底面に、当該モニタ装置に画像情報を送信するベース装置の正面部の底部に設けられた保持用レールが挿入される溝部が形成され、その溝部に、前記保持用レールに設けられた充電端子と接続される充電端子が設けられたものである。
【００１０】
この発明のベース装置は、
正面部にディスプレイを備え、背面部またはその他の部分にバッテリーが装着されるモニタ装置に画像情報を送信するベース装置であって、
正面部の底部に、前記モニタ装置の底面に形成された溝部に挿入される保持用レールが設けられ、その保持用レールに、前記溝部に設けられた充電端子と接続される充電端子が設けられたものである。
【００１１】
上記のように構成した、この発明のモニタ装置およびベース装置では、モニタ装置とベース装置のほかに充電用の特別の装置を必要とすることなく、ベース装置によってモニタ装置の駆動用のバッテリーを充電することができるとともに、充電時においても、非充電時と全く同様に、モニタ装置を使用することができる。
【００１２】
【発明の実施の形態】
〔モニタ装置の実施形態…図１〜図４〕
図１〜図４は、この発明のモニタ装置の一実施形態を示し、図１（Ａ）は正面図、同図（Ｂ）は上面図、同図（Ｃ）は左側面図、同図（Ｄ）は右側面図、図２（Ａ）は背面図、同図（Ｂ）は底面図、図３（Ａ）はバッテリーをバッテリー収納溝部に挿入した状態を示す平面図、同図（Ｂ）はバッテリーの右側面図、同図（Ｃ）はバッテリーをバッテリー収納溝部に装着した状態を示す平面図、図４（Ａ）はバッテリーカバーをスタンド収納溝部に装着する（またはスタンド収納溝部から取り外す）ときの状態を示す平面図、同図（Ｂ）は同図（Ａ）のＢ−Ｂ線上の断面図、同図（Ｃ）はバッテリーカバーを裏面側から見た平面図である。
【００１３】
図１に示すように、モニタ装置１００は、正面部１１０と背面部１５０を貼り合わせて一体化した構造とされ、その正面部１１０には、ＬＣＤ１０１が設けられ、その画面上には、タッチパネル１０２が設けられ、画面の左右の位置には、上方部に、スピーカ１０３，１０４が設けられ、下方部に、図５および図６に示して後述するベース装置２００との間の無線通信用のいわゆるパッチアンテナ１０５，１０６が設けられる。
【００１４】
一方のパッチアンテナ１０５は、正面部１１０の前方側に半球面状の放射パターンを形成するものとされ、他方のパッチアンテナ１０６は、逆に正面部１１０の後方側に半球面状の放射パターンを形成するものとされて、各パッチアンテナの受信レベル情報に基づいて実際に送信および受信を行うパッチアンテナが選択されることによって、パッチアンテナ１０５，１０６全体として、全球面状の放射パターンを有するアンテナが形成されて、モニタ装置１００とベース装置２００との位置関係の如何にかかわらず、モニタ装置１００とベース装置２００との間の無線通信が良好に行われるように構成される。
【００１５】
正面部１１０の右側部分には、スピーカ１０４の下側に、インデックスボタン１１４、ジャンプボタン１１５、およびチャンネルボタン１１６，１１７が設けられ、正面部１１０の左側部分には、スピーカ１０３の上側に、メール自動送受信ランプ（ＬＥＤ）１１８、および充電ランプ（ＬＥＤ）１１９が設けられる。
【００１６】
インデックスボタン１１４は、これを押すことによって、ＬＣＤ１０１上に図示するようなインデックス画面が表示されるもので、ユーザはタッチペンで、いずれかのメニューにタッチすることによって、テレビの選局、ベース装置２００に接続された外部機器の操作、インターネットへのアクセス、メールの作成・送信、後述のアルバムの作成・表示の、いずれかを行うことができる。
【００１７】
ジャンプボタン１１５は、これを押すことによって、一つ前に受信していたチャンネルを受信することができるものであり、チャンネルボタン１１６は、これを押すことによって、ＬＣＤ１０１上に表示される操作画面が、テレビ→外部機器→インターネット→メール→アルバム→テレビの順に切り換えられるものであり、チャンネルボタン１１７は、これを押すことによって、ＬＣＤ１０１上に表示される操作画面が、上記の順とは逆の順に切り換えられるものである。
【００１８】
アルバムとは、デジタルカメラなどで撮影してメモリースティック（出願人の登録商標）に記録した静止画像や、メールで受信した静止画像を、モニタ装置１００に取り込んで保存し、ＬＣＤ１０１上に一覧表示または拡大表示し、またはＬＣＤ１０１上で作成したメールに添付することである。
【００１９】
モニタ装置１００の上面１２０には、タッチペン１０９が収納される溝部１２１、電源ボタン１２３、電源ランプ（ＬＥＤ）１２４、回線切断ボタン１２５、回線ランプ（ＬＥＤ）１２６、消音ボタン１２７、音量増強ボタン１２８、および音量低減ボタン１２９が設けられる。
【００２０】
モニタ装置１００の左側面１３０には、ＬＣＤ１０１の明るさを調整する摘み１３１、ヘッドホンを接続する端子１３３、キーボードを接続する端子を覆う開閉可能なカバー１３５、モニタ装置１００用のＡＣパワーアダプターを接続する端子１３７、および通気口１３９が設けられ、モニタ装置１００の右側面１４０には、上記のメモリースティックが装着されるスロット１４１、メモリースティック用のランプ（ＬＥＤ）１４５、および通気口１４９が設けられる。
【００２１】
図２（Ａ）には、図１（Ｄ）に示したスロット１４１にメモリースティック１４３が装着された状態を示す。図２に示すように、正面部１１０と背面部１５０はネジ１５１によって接合される。
【００２２】
背面部１５０の上部には、把持用溝部１５２が形成され、ユーザは、この把持用溝部１５２に指を入れてモニタ装置１００を挟持することによって、モニタ装置１００を容易に持ち運ぶことができる。
【００２３】
把持用溝部１５２の下側には、スタンド収納溝部１５３が形成され、このスタンド収納溝部１５３にスタンド１７０が、軸１７１を支点に開閉（回動）できるように取り付けられる。
【００２４】
さらに、背面部１５０には、スタンド収納溝部１５３に囲まれる位置に、後述のようなバッテリー収納溝部が形成されて、そのバッテリー収納溝部にバッテリー１９０が装着され、スタンド収納溝部１５３にバッテリーカバー１８０が装着される。
【００２５】
正面部１１０および背面部１５０の底部、すなわちモニタ装置１００の底面１６０には、図７（Ｂ）に示して後述するようにモニタ装置１００をベース装置２００に立て掛ける際にベース装置２００の保持用レール２１２が挿入される溝部１６１が形成される。溝部１６１の左右の面１６２ｄおよび１６２ｅは、溝部１６１の底面に近くなるほど両者の間隔が狭くなるように傾斜した面とされ、この溝部１６１の底面から後方側の面にかけて、一対の充電端子１６５が設けられる。
【００２６】
さらに、モニタ装置１００の底面１６０には、溝部１６１の左右位置に、図７（Ａ）に示して後述するようにスタンド１７０を開いてモニタ装置１００を自立させるときにモニタ装置１００が滑るのを防止する、ゴムなどからなる滑り止め体１６９が取り付けられる。
【００２７】
図３は、背面部１５０のスタンド１７０を開き、図２に示したバッテリーカバー１８０をスタンド収納溝部１５３から取り外した状態を示す。図３に示すように、背面部１５０のスタンド収納溝部１５３の内側には、隔壁１５４によってスタンド収納溝部１５３と隔てられてバッテリー収納溝部１５５が形成され、このバッテリー収納溝部１５５の右側部分には、接続端子１５６ａ，１５６ｂが設けられ、レール１５７が形成されるとともに、バッテリー収納溝部１５５の上方の壁面には、係合用の溝部１５８が形成され、隔壁１５４の下部には、穴１５９ａ，１５９ｂが形成される。
【００２８】
バッテリー１９０の表面には、バッテリー１９０の装着方向を示すマーク１９１が形成され、右側面には、それぞれ内部に接続端子が設けられた穴１９６ａ，１９６ｂが形成され、右側面に臨んで背面には、案内溝１９７が形成される。
【００２９】
図４に示すように、バッテリーカバー１８０は、上端縁１８１を除いて側部および下部が、側壁１８２および下壁１８３として形成され、表面には、バッテリーカバー１８０をスタンド収納溝部１５３から取り外す際の方向を示し、かつ滑り止めの処理が施された操作部１８４が形成され、上端縁１８１には、係合片１８８が形成され、下壁１８３には、係合片１８９ａ，１８９ｂが形成される。
【００３０】
さらに、バッテリーカバー１８０の裏面１８５には、側壁１８２と平行に、バッテリー１９０の左側面を押えるリブ１８６が形成されるとともに、この押え用リブ１８６を補強するリブ１８７が形成される。
【００３１】
バッテリー１９０は、図３（Ａ）に示すように、スタンド１７０を開き、スタンド収納溝部１５３からバッテリーカバー１８０を取り外した状態で、バッテリー収納溝部１５５内の左寄りの位置に挿入した後、図３（Ｃ）に示すように、マーク１９１が示す右方向にスライドさせる。
【００３２】
これによって、バッテリー収納溝部１５５のレール１５７が、バッテリー１９０の案内溝１９７に挿入され、バッテリー収納溝部１５５に臨んだ接続端子１５６ａ，１５６ｂが、バッテリー１９０の穴１９６ａ，１９６ｂに挿入され、穴１９６ａ，１９６ｂの内部の接続端子に接続されて、バッテリー１９０がバッテリー収納溝部１５５に装着され、モニタ装置１００をバッテリー１９０によって駆動できる状態となる。
【００３３】
このようにバッテリー１９０をバッテリー収納溝部１５５に装着したら、図４（Ａ）に示すように、バッテリーカバー１８０をスタンド収納溝部１５３に挿入して、上方にスライドさせる。これによって、係合片１８８が溝部１５８に係合し、係合片１８９ａ，１８９ｂが穴１５９ａ，１５９ｂに係合して、図２に示したようにバッテリーカバー１８０がスタンド収納溝部１５３に装着される。
【００３４】
このようにバッテリーカバー１８０がスタンド収納溝部１５３に装着された状態では、バッテリーカバー１８０の裏面１８５の押え用リブ１８６がバッテリー１９０の左側面を押えることによって、接続端子１５６ａ，１５６ｂへのバッテリー１９０の接続が保持され、係合片１８８が収納溝部１５８に係合していることによって、バッテリーカバー１８０が下方に脱落するのが防止されるとともに、係合片１８９ａ，１８９ｂが穴１５９ａ，１５９ｂに係合していることによって、バッテリーカバー１８０が後方側に外れるのが防止される。
【００３５】
さらに、モニタ装置１００を持ち運ぶときには、図２に示したようにスタンド１７０をスタンド収納溝部１５３に収納することによって、バッテリーカバー１８０のスタンド収納溝部１５３からの抜け落ち、したがってバッテリー１９０のバッテリー収納溝部１５５からの抜け落ちが、より確実に防止される。
【００３６】
バッテリー１９０をバッテリー収納溝部１５５から取り出すときには、図４（Ａ）に示すように、スタンド１７０を開いた状態で、操作部１８４を押しながらバッテリーカバー１８０を下方にスライドさせて、係合片１８８を溝部１５８から外し、係合片１８９ａ，１８９ｂを穴１５９ａ，１５９ｂから外した後、バッテリーカバー１８０を手前側に引き出し、図３（Ｃ）に示したようにバッテリー収納溝部１５５に装着されているバッテリー１９０を、図３（Ａ）に示すように左側にスライドさせた後、手前側に引き出す。
【００３７】
〔ベース装置の実施形態…図５、図６〕
図５および図６は、この発明のベース装置の一実施形態を示し、図５（Ａ）は正面図、同図（Ｂ）は上面図、同図（Ｃ）は右側面図、図６は背面図である。左側面は、右側面と対称であるので、図示を省略した。
【００３８】
図５に示すように、ベース装置２００は、正面部２１０と後方部２３０に取り付けられた背面部２５０とを貼り合わせて一体化した構造とされ、その正面部２１０には、上方部の左右の位置に、モニタ装置１００との間の無線通信用のいわゆるパッチアンテナ２０５，２０６が設けられる。
【００３９】
モニタ装置１００のパッチアンテナ１０５，１０６と同様に、一方のパッチアンテナ２０５は、正面部２１０の前方側に半球面状の放射パターンを形成するものとされ、他方のパッチアンテナ２０６は、逆に正面部２１０の後方側に半球面状の放射パターンを形成するものとされて、各パッチアンテナの受信レベル情報に基づいて実際に送信および受信を行うパッチアンテナが選択されることによって、パッチアンテナ２０５，２０６全体として、全球面状の放射パターンを有するアンテナが形成されて、モニタ装置１００とベース装置２００との位置関係の如何にかかわらず、モニタ装置１００とベース装置２００との間の無線通信が良好に行われるように構成される。
【００４０】
正面部２１０および背面部２５０は幾分、後方側に傾いたものとされ、正面部２１０の下部には、モニタ装置１００の背面部１５０の曲面スロープ形状に沿う曲面スロープ形状の台部２１１が形成され、この台部２１１の下部には、モニタ装置１００をベース装置２００に立て掛ける際にモニタ装置１００の底面１６０の溝部１６１に挿入される保持用レール２１２が形成される。
【００４１】
保持用レール２１２は、前方側の面２１２ｂが幾分、後方側に傾いた面とされ、後方側の面２１２ｃが、曲面状に前方側に傾いた面とされ、左右の面２１２ｄおよび２１２ｅが、頂面２１２ａに近くなるほど両者の間隔が狭くなるように傾斜した面とされ、この保持用レール２１２の頂面２１２ａから後方側の面２１２ｃにかけて、一対の充電端子２１５が設けられる。
【００４２】
また、正面部２１０には、台部２１１にまたがる左右の位置、および上部の左右位置に、モニタ装置１００をベース装置２００に立て掛ける際の衝撃を緩和する、ゴムなどからなる緩衝体２１７および２１８が取り付けられるとともに、中央部に、電源投入時に点灯し、回線接続時に点滅するランプ（ＬＥＤ）２１９が設けられる。
【００４３】
背面部２５０の上面２２０には、電源スイッチ２２３が設けられ、後方部２３０の両側面には、通気口２４０が設けられ、後方部２３０の底面には、ゴムなどからなる滑り止め体２６１が取り付けられる。正面部２１０と背面部２５０は、図６に示すようにネジ２５１によって接合される。
【００４４】
図５および図６では省略したが、後方部２３０内には、図８に示したようなチューナおよびモデムが設けられる。また、図５および図６では省略したが、ベース装置２００内には、充電端子２１５に接続された充電回路が設けられる。
【００４５】
図６に示すように、後方部２３０の背面には、溝部２３１が形成され、この溝部２３１には、電話回線に接続する端子２３３、ＶＨＦ／ＵＨＦアンテナに接続する端子２３４、外部機器からビデオ信号（映像信号および音声信号）を入力する端子２３５、ＡＶマウスを接続する端子２３６、アース端子２３７、ベース装置２００用のＡＣパワーアダプターを接続する端子２３８などが設けられる。
【００４６】
〔システムの使用形態…図７〕
上述したモニタ装置１００およびベース装置２００では、ユーザは、ベース装置２００を居間などの場所に固定的に配置し、モニタ装置１００を住居内や庭などの任意の場所に持ち運んで、任意の場所で手元のモニタ装置１００によって、テレビ放送を受信し、インターネットにアクセスし、電子メールを送受信するなどの機能を実行することができる。
【００４７】
この場合、ユーザは、モニタ装置１００を手に持って使用することもできるが、図７（Ａ）に示すように、スタンド１７０をスタンド収納溝部１５３から引き出して、モニタ装置１００の底面とスタンド１７０とによって、モニタ装置１００を適当な面１１上に適当な傾斜角で自立させることもでき、矢印１５の方向から画面１０１を見ることができる。
【００４８】
モニタ装置１００に装着されたバッテリー１９０を充電するときには、図７（Ｂ）に示すように、スタンド１７０をスタンド収納溝部１５３に収納して、面１２上に置かれたベース装置２００の保持用レール２１２をモニタ装置１００の溝部１６１に挿入するように、モニタ装置１００をベース装置２００の正面部２１０に立て掛ける。
【００４９】
この場合、図２に示したように溝部１６１の左右の面１６２ｄおよび１６２ｅが傾斜面とされ、図５に示したように保持用レール２１２の左右の面２１２ｄおよび２１２ｅも傾斜面とされているので、ベース装置２００の保持用レール２１２をモニタ装置１００の溝部１６１に容易に挿入することができる。
【００５０】
そして、このようにベース装置２００の保持用レール２１２がモニタ装置１００の溝部１６１に挿入された状態では、ベース装置２００側の充電端子２１５とモニタ装置１００側の充電端子１６５が十分な接触圧で接触するので（図７（Ｂ）では、充電端子２１５と充電端子１６５を区別するために便宜上、両者の間に間隙が存在するかのように示す）、ベース装置２００の充電回路によって、モニタ装置１００に装着されたバッテリー１９０を充電することができる。
【００５１】
しかも、このとき、モニタ装置１００の前面側がベース装置２００によって覆われることが全くないので、充電時においても、図７（Ａ）に示したような非充電時と全く同様に、ユーザは、画面１０１を見るなど、モニタ装置１００を使用することができる。
【００５２】
バッテリー１９０を充電しないときにも、このようにモニタ装置１００をベース装置２００に立て掛けて使用することができる。
【００５３】
【発明の効果】
上述したように、この発明によれば、モニタ装置とベース装置のほかに充電用の特別の装置を必要とすることなく、モニタ装置の駆動用のバッテリーを充電することができるとともに、充電時においても、非充電時と全く同様に、モニタ装置を使用することができる。
【図面の簡単な説明】
【図１】この発明のモニタ装置の一実施形態の正面、上面および側面を示す図である。
【図２】この発明のモニタ装置の一実施形態の背面および底面を示す図である。
【図３】バッテリーカバーを取り外した状態のモニタ装置の背面部を示す図である。
【図４】バッテリーカバーを挿入した状態のモニタ装置の背面部およびバッテリーカバーの裏面側を示す図である。
【図５】この発明のベース装置の一実施形態の正面、上面および側面を示す図である。
【図６】この発明のベース装置の一実施形態の背面を示す図である。
【図７】システムの使用形態を示す図である。
【図８】システム構成の一例を示す図である。
【符号の説明】
主要部については図中に全て記述したので、ここでは省略する。
【図１】
0004328932.tif 000002
【図２】
0004328932.tif 000003
【図３】
0004328932.tif 000004
【図４】
0004328932.tif 000005
【図５】
0004328932.tif 000006
【図６】
0004328932.tif 000007
【図７】
0004328932.tif 000008
【図８】
0004328932.tif 000009